(57)【要約】  記録装置（１）は、光ディスク（３００）にレーザ光を出射するレーザ光源（１２）と、光ディスクに予め記録されているディスク情報を読み込む読込手段（２４）と、ディスク情報に基づいて目標再生特性及びパワー値を夫々設定する設定手段（２５）と、設定されたパワー値を有するレーザ光により形成された第１マークに係る第１再生特性を取得すると共に、第１マークに対応する第１パルス幅を、微小幅をｎ（ｎは整数）倍した幅だけ変更して形成された第２マークに係る第２再生特性を取得する再生特性取得手段（２２）と、設定された目標再生特性、設定された一又は複数のパワー値、取得された第１及び第２再生特性、第１パルス幅並びに微小幅に基づいて、光ディスクに情報を記録する際の出射されるレーザ光のパワーを決定するパワー決定手段（２３）とを備える。
2010010632.tif 000002
【特許請求の範囲】
【請求項１】
記録可能な光ディスクの記録面上に複数のマーク及び複数のスペースを交互に形成することにより情報を記録する記録装置であって、
前記記録面に対しレーザ光を出射するレーザ光源と、
前記レーザ光源から出射されたレーザ光を介して、前記光ディスクに予め記録されている情報記録に係るディスク情報を読み込む読込手段と、
前記読み込まれたディスク情報に基づいて、前記光ディスクからの反射光に起因する再生特性の目標である目標再生特性、及び前記レーザ光源から出射されるレーザ光のパワーを示す一又は複数のパワー値を夫々設定する設定手段と、
前記設定された一又は複数のパワー値により示されるパワーを有するレーザ光により前記記録面上に形成された前記複数のマークのうち第１マークに係る第１再生特性を取得すると共に、前記第１マークのマーク長に対応する第１パルス幅を、微小幅をｎ（ｎは整数）倍した幅だけ変更して前記記録面上に形成された第２マークに係る第２再生特性を取得する再生特性取得手段と、
前記設定された目標再生特性、前記設定された一又は複数のパワー値、前記取得された第１再生特性、前記取得された第２再生特性、前記第１パルス幅及び前記微小幅に基づいて、前記光ディスクに前記情報を記録する際の前記出射されるレーザ光のパワーを決定するパワー決定手段と
を備えることを特徴とする記録装置。
【請求項２】
前記パワー決定手段は、
前記取得された第１再生特性、前記取得された第２再生特性、前記第１パルス幅及び前記微小幅に基づいて、前記設定された一又は複数のパワー値により示されるパワーを有するレーザ光について、前記目標再生特性が得られる第２パルス幅の前記第１パルス幅からのずれ量を演算するずれ量演算手段を含み、
設定された一又は複数のパワー値及び前記演算されたずれ量に基づいて、前記光ディスクに前記情報を記録する際の前記出射されるレーザ光のパワーを決定する
ことを特徴とする請求の範囲第１項に記載の記録装置。
【請求項３】
前記パワー決定手段は、
前記演算されたずれ量及び前記設定された一又は複数のパワー値の関係を示す近似式を生成する近似式生成手段を更に含み、
前記生成された近似式に基づいて、前記光ディスクに前記情報を記録する際における前記出射されるレーザ光のパワーを決定する
ことを特徴とする請求の範囲第２項に記載の記録装置。
【請求項４】
前記再生特性取得手段は、前記第１パルス幅を変更するパルス幅変更手段を含むことを特徴とする請求の範囲第１項に記載の記録装置。
【請求項５】
前記パルス幅変更手段は、前記設定された一又は複数のパワー値が低い程、パルス幅が前記第１パルス幅より長くなるように前記第１パルス幅を変更することを特徴とする請求の範囲第４項に記載の記録装置。
【請求項６】
前記再生特性取得手段は、更に、前記設定された一又は複数のパワー値により示されるパワーを有するレーザ光により、前記第１パルス幅を、前記微小幅をｍ（ｍは、ｍ≠ｎである整数）倍した幅だけ変更して前記記録面上に形成された第３マークに係る第３再生特性を取得し、
前記パワー決定手段は、前記設定された目標再生特性、前記設定された一又は複数のパワー値、前記取得された第１再生特性、前記取得された第２再生特性、前記取得された第３再生特性、前記第１パルス幅及び前記微小幅に基づいて、前記光ディスクに前記情報を記録する際の前記出射されるレーザ光のパワーを決定する
ことを特徴とする請求の範囲第１項に記載の記録装置。
【請求項７】
前記第１マークのマーク長は、前記出射されるレーザ光の前記記録面上におけるスポット径より短いことを特徴とする請求の範囲第１項に記載の記録装置。
【請求項８】
前記第１マークは、最短マークであることを特徴とする請求の範囲第１項に記載の記録装置。
【請求項９】
前記設定手段は、
環境温度を検出する温度検出手段を含み、
前記検出された環境温度に応じて、前記目標再生特性及び前記一又は複数のパワー値を夫々設定する
ことを特徴とする請求の範囲第１項に記載の記録装置。
【請求項１０】
記録可能な光ディスクの記録面上に複数のマーク及び複数のスペースを交互に形成することにより情報を記録し、前記記録面に対しレーザ光を出射するレーザ光源を備える記録装置における記録方法であって、
前記レーザ光源から出射されたレーザ光を介して、前記光ディスクに予め記録されている情報記録に係るディスク情報を読み込む読込工程と、
前記読み込まれたディスク情報に基づいて、前記光ディスクからの反射光に起因する再生特性の目標である目標再生特性、及び前記レーザ光源から出射されるレーザ光のパワーを示す一又は複数のパワー値を夫々設定する設定工程と、
前記設定された一又は複数のパワー値により示されるパワーを有するレーザ光により前記記録面上に形成された前記複数のマークのうち第１マークに係る第１再生特性を取得すると共に、前記第１マークのマーク長に対応する第１パルス幅を微小幅だけ変更して前記記録面上に形成された第２マークに係る第２再生特性を取得する再生特性取得工程と、
前記設定された目標再生特性、前記設定された一又は複数のパワー値、前記取得された第１再生特性、前記取得された第２再生特性、前記第１パルス幅及び前記微小幅に基づいて、
前記光ディスクに前記情報を記録する際の前記出射されるレーザ光のパワーを決定するパワー決定工程と
を備えることを特徴とする記録方法。
【発明の詳細な説明】
【技術分野】
【０００１】
本発明は、例えば記録可能な光ディスクに情報を記録する記録装置及び方法の技術分野に関する。
【背景技術】
【０００２】
この種の記録装置では、例えばＤＶＤ−Ｒ（ＤＶＤ−Ｒｅｃｏｒｄａｂｌｅ）やＢＤ−Ｒ（Ｂｌｕ−ｒａｙ  Ｄｉｓｃ  Ｒｅｃｏｒｄａｂｌｅ）等の記録可能な光ディスクに情報を記録する際、例えば最適記録パワー調整（Ｏｐｔｉｍｕｍ  Ｐｏｗｅｒ  Ｃｏｎｔｒｏｌ：ＯＰＣ）等により記録用レーザのパワーの最適化が図られる。具体的には例えば、段階的に記録用レーザのパワーを変更して試し記録を行い、該試し記録を行った部分（以下、適宜「ＯＰＣ記録部」と称する）の再生特性を測定する。そして、予め設定された再生特性が得られる或いは再生特性が最も良好となるＯＰＣ記録部を選択し、該選択されたＯＰＣ記録部を記録したパワーを最適値とする。【０００３】
例えば特許文献１には、ＥＦＭ（Ｅｉｇｈｔ  ｔｏ  Ｆｏｕｒｔｅｅｎ  Ｍｏｄｕｌａｔｉｏｎ）記録信号に含まれる最高周波数成分パルスと最低周波数成分パルスとを交互に切り替えて記録し、再生時に各ＳＴＥＰ間のＲＦ（Ｒａｄｉｏ  Ｆｒｅｑｕｅｎｃｙ）信号値の振幅中心電圧線分の交点を最適値とする、或いは、最高周波数成分パルスから基準電圧を作り、該基準電圧で最低周波数パルスのスライスを行った後に積分して、その積分値がゼロとなったときを最適値とする技術が記載されている。【０００４】
【特許文献１】特許第３１５９４５４号公報
【発明の開示】
【発明が解決しようとする課題】
【０００５】
しかしながら、上記特許文献１に記載の技術では、記録パワーを最適化する際に、光ディスクの許容値より大きいパワーで記録してしまうと再生することができなくなる可能性があるという技術的問題点がある。具体的には例えば、色素系ＢＤ−Ｒでは、過度の高パワーで記録すると、記録部からの反射光に基づいて生成されるプッシュプル信号の信号レベルが低下しトラッキングができなくなってしまう可能性がある。【０００６】
或いは、高パワーで記録することに起因して光源であるＬＤ（Ｌａｓｅｒ  Ｄｉｏｄｅ）に必要以上に負荷がかかり製品寿命が短くなる可能性があるという技術的問題点がある。【０００７】
本発明は、例えば上記問題点に鑑みてなされたものであり、記録パワーを最適化する際に、高パワーで記録することに起因する弊害を回避することができる記録装置及び方法を提供することを課題とする。
【課題を解決するための手段】
【０００８】
本発明の記録装置は、上記課題を解決するために、記録可能な光ディスクの記録面上に複数のマーク及び複数のスペースを交互に形成することにより情報を記録する記録装置であって、前記記録面に対しレーザ光を出射するレーザ光源と、前記レーザ光源から出射されたレーザ光を介して、前記光ディスクに予め記録されている情報記録に係るディスク情報を読み込む読込手段と、前記読み込まれたディスク情報に基づいて、前記光ディスクからの反射光に起因する再生特性の目標である目標再生特性、及び前記レーザ光源から出射されるレーザ光のパワーを示す一又は複数のパワー値を夫々設定する設定手段と、前記設定された一又は複数のパワー値により示されるパワーを有するレーザ光により前記記録面上に形成された前記複数のマークのうち第１マークに係る第１再生特性を取得すると共に、前記第１マークのマーク長に対応する第１パルス幅を、微小幅をｎ（ｎは整数）倍した幅だけ変更して前記記録面上に形成された第２マークに係る第２再生特性を取得する再生特性取得手段と、前記設定された目標再生特性、前記設定された一又は複数のパワー値、前記取得された第１再生特性、前記取得された第２再生特性、前記第１パルス幅及び前記微小幅に基づいて、前記光ディスクに前記情報を記録する際の前記出射されるレーザ光のパワーを決定するパワー決定手段とを備える。【０００９】
本発明の記録装置によれば、当該記録装置は、例えばＤＶＤ−Ｒ、ＢＤ−Ｒ等の記録可能な光ディスクの記録面上に、例えばピット等である複数のマークと、複数のスペースとを交互に形成することにより情報を記録する。【００１０】
例えばレーザダイオード等であるレーザ光源は、光ディスクの記録面に対しレーザ光を出射する。【００１１】
例えばメモリ、プロセッサ等を備えてなる読込手段は、レーザ光源から出射されたレーザ光を介して、光ディスクに予め記録されている情報記録に係るディスク情報を読み込む。ここに、「レーザ光を介して」とは、レーザ光源から出射されたレーザ光の光ディスクの記録面からの反射光が、例えば複数の区画に分けられた受光面を有する受光素子に入射することにより該受光素子から出力される受光信号に基づいてという意味である。【００１２】
本発明に係る「情報記録に係るディスク情報」とは、例えば光ディスクの製造者や型番、推奨されるレーザ光のパワーを示す推奨パワー値、光ディスクの記録面上にマークを適切に形成するためのレーザ光の照射条件である記録ストラテジ等の光ディスクに情報を記録する際に少なくともレーザ光源を制御するための条件を示す情報を意味する。【００１３】
ここに、本発明に係る「推奨パワー値」とは、光ディスクを構成する材料の性質等を考慮して、製造者が意図する特性を得られるパワー値として、光ディスクの製造者によって予め定められるパワー値を意味する。【００１４】
例えばメモリ、プロセッサ等を備えてなる設定手段は、読み込まれたディスク情報に基づいて、光ディスクからの反射光に起因する再生特性の目標である目標再生特性、及びレーザ光源から出射されるレーザ光のパワーを示す一又は複数のパワー値を夫々設定する。【００１５】
ここに、本発明に係る「再生特性」とは、光ディスクの記録面からの反射光を受光した受光素子から出力される高周波信号の品質を示す値である。この再生特性は、例えばＡＣ（Ａｌｔｅｒｎａｔｉｎｇ  Ｃｕｒｒｅｎｔ）カップリングされた高周波信号に基づいて、（高周波信号の最大値＋高周波信号の最小値）÷（高周波信号の最大値―高周波信号の最小値）として表される。また、本発明に係る「目標再生特性」とは、典型的には、記録特性の品質を示す値であるジッタ値が最小となる場合の再生特性を意味する。【００１６】
このような目標再生特性は、典型的には、実験的に或いはシミュレーションによって、複数種類の光ディスク各々について、再生特性及びジッタ値の関係を求め、該求められた関係に基づき、ジッタ値が最小となる再生特性として設定され、予め不揮発性メモリ等に格納されている。設定手段は、当該記録装置の動作時に、取得されたディスク情報に含まれる、例えば光ディスクの型番に基づいて、該型番に対応する目標再生特性を、予め格納されている目標再生特性から特定すればよい。【００１７】
また、設定手段により複数のパワー値が設定される場合、設定された複数のパワー値は、取得されたディスク情報に含まれる推奨パワー値と、該推奨パワー値を微小量（例えば数パーセント）だけ変更したパワー値とを含んでいる。設定手段は、当該記録装置の動作時に、取得されたディスク情報に含まれる推奨パワー値に基づいて、推奨パワー値を微小量だけ変更したパワー値を少なくとも一つ算出すればよい。【００１８】
例えばメモリ、プロセッサ等を備えてなる再生特性取得手段は、設定された一又は複数のパワー値により示されるパワーを有するレーザ光により記録面上に形成された複数のマークのうち第１マークに係る第１再生特性を取得すると共に、第１マークのマーク長に対応する第１パルス幅を、微小幅をｎ倍した幅だけ変更して記録面上に形成された第２マークに係る第２再生特性を取得する。【００１９】
ここに、「マークに係る再生特性」とは、形成されたマーク（ここでは、第１又は第２マーク）にレーザ光を照射し、該照射されたレーザ光の記録面からの反射光に起因する再生特性を意味する。【００２０】
「第１マーク」とは、規格により定められた標準的なパルス幅に対応するマーク（例えば２Ｔ、３Ｔ等）であってもよいし、標準的なパルス幅から所定幅だけずれたパルス幅に対応するマークであってもよい。【００２１】
「前記設定された一又は複数のパワー値により示されるパワーを有するレーザ光」とは、設定されたパワー値が一つの場合は、該設定されたパワー値により示されるパワーを有するレーザ光を意味し、設定されたパワー値が複数の場合は、該設定された複数のパワー値のうち一のパワー値により示されるパワーを有するレーザ光を意味する。【００２２】
「前記第１マークのマーク長に対応する第１パルス幅を、微小幅をｎ倍した幅だけ変更して前記記録面上に形成された第２マーク」とは、第１パルス幅を、微小幅をｎ倍した幅だけ変更して（即ち、第１パルス幅にｎ倍された微小幅を加えて、或いは、第１パルス幅からｎ倍された微小幅を減じて）生成されたパルス幅を有するレーザ光によって、記録面上に形成されたマークを意味する。ここに、「微小幅」とは、第１パルス幅の、例えば８分の１や１６分の１の幅であり、第１パルス幅に対して微小であることを意味する。【００２３】
尚、“ｎ”は任意の整数であるが、絶対値の小さい整数が望ましい。これは第１マークが、例えば２Ｔパルスに対応するマークである場合に、第１パルス幅を大幅に長くしてしまうと、３Ｔパルスに対応するマークとの識別が困難になってしまうからである。【００２４】
例えばメモリ、プロセッサ等を備えてなるパワー決定手段は、設定された目標再生特性、設定された一又は複数のパワー値、取得された第１再生特性、取得された第２再生特性、第１パルス幅及び微小幅に基づいて、光ディスクに情報を記録する際の出射されるレーザ光のパワーを決定する。【００２５】
具体的には例えば、パワー決定手段は、先ず、設定された一又は複数のパワー値により示されるパワーを有するレーザ光のうち一のパワーを有するレーザ光についての取得された第１再生特性、取得された第２再生特性、第１パルス幅及びｎ倍された微小幅に基づいて、再生特性及びパルス幅の関係を求め、該求められた関係に基づいて、再生特性が目標再生特性となる第２パルス幅を特定する。パワー決定手段は、複数のレーザ光の全てについて同様の処理を行う。【００２６】
次に、パワー決定手段は、特定された第２パルス幅と第１パルス幅とのずれ量を、一又は複数のレーザ光について特定された第２パルス幅の全てについて演算する。続いて、パワー決定手段は、演算されたずれ量及び設定された一又は複数のパワー値の関係を示す近似式を求め、該求められた近似式におけるずれ量がゼロの場合のパワー値により示されるパワーを、光ディスクに情報を記録する際の出射されるレーザ光のパワーとして決定する。【００２７】
尚、設定されたパワー値が一つである場合、典型的には、上記近似式は１次式であり、且つ予め当該記録装置に近似式の傾き又は切片の値が格納されている。【００２８】
本願発明者の研究によれば、光ディスクに情報が記録される際のレーザ光のパワーを、例えば最適記録パワー調整等の、レーザ光のパワーを比較的広い範囲にわたり変更してパワーの最適化を行うと、光ディスクの許容量より大きいパワーを有するレーザ光が光ディスクに照射されることにより再生することができなくなるおそれがある。或いは、比較的高パワーのレーザ光を出射することに起因してレーザ光源の製品寿命が短くなるおそれがあることが判明している。【００２９】
しかるに本発明では、上述の如く、取得されたディスク情報に含まれる推奨パワー値及び該推奨パワー値を微小量だけ変更したパワー値により夫々示されるパワーを有するレーザ光を用いて、光ディスクに情報が記録される際におけるレーザ光のパワーが決定される。このため、光ディスクを再生することができなくなったり、レーザ光源の製品寿命が短くなったりすることを回避することができる。【００３０】
以上の結果、本発明の記録装置によれば、記録パワーを最適化する際に、高パワーで記録することに起因する弊害を回避することができる。【００３１】
本発明の記録装置の一態様では、前記パワー決定手段は、前記取得された第１再生特性、前記取得された第２再生特性、前記第１パルス幅及び前記微小幅に基づいて、前記設定された一又は複数のパワー値により示されるパワーを有するレーザ光について、前記目標再生特性が得られる第２パルス幅の前記第１パルス幅からのずれ量を演算するずれ量演算手段を含み、設定された一又は複数のパワー値及び前記演算されたずれ量に基づいて、前記光ディスクに前記情報を記録する際の前記出射されるレーザ光のパワーを決定する。【００３２】
この態様によれば、比較的容易にして、ずれ量を演算することができ、実用上非常に有利である。【００３３】
この態様では、前記パワー決定手段は、前記演算されたずれ量及び前記設定された一又は複数のパワー値の関係を示す近似式を生成する近似式生成手段を更に含み、前記生成された近似式に基づいて、前記光ディスクに前記情報を記録する際における前記出射されるレーザ光のパワーを決定してもよい。【００３４】
このように構成すれば、
比較的容易にして、光ディスクに情報を記録する際のレーザ光のパワーを決定することができ、実用上非常に有利である。尚、本発明に係る「近似式」は、例えば１次又は２次式、或いは指数関数等の単調関数を意味する。【００３５】
本発明の記録装置の他の態様では、前記再生特性取得手段は、前記第１パルス幅を変更するパルス幅変更手段を含む。【００３６】
この態様によれば、比較的容易にして第１パルス幅を変更することができ、実用上非常に有利である。【００３７】
この態様では、前記パルス幅変更手段は、前記設定された一又は複数のパワー値が低い程、パルス幅が前記第１パルス幅より長くなるように前記第１パルス幅を変更してよい。【００３８】
このように構成すれば、比較的短時間にして光ディスクに情報を記録する際のレーザ光のパワーを決定することができ、実用上非常に有利である。【００３９】
本発明の記録装置の他の態様では、前記再生特性取得手段は、更に、前記設定された一又は複数のパワー値により示されるパワーを有するレーザ光により、前記第１パルス幅を、前記微小幅をｍ（ｍは、ｍ≠ｎである整数）倍した幅だけ変更して前記記録面上に形成された第３マークに係る第３再生特性を取得し、前記パワー決定手段は、前記設定された目標再生特性、前記設定された一又は複数のパワー値、前記取得された第１再生特性、前記取得された第２再生特性、前記取得された第３再生特性、前記第１パルス幅及び前記微小幅に基づいて、前記光ディスクに前記情報を記録する際の前記出射されるレーザ光のパワーを決定する。【００４０】
この態様によれば、取得された第１再生特性、取得された第２再生特性、第１パルス幅及び第２パルス幅に基づいて目標再生特性が得られるパルス幅を特定する場合に比べて、特定されるパルス幅の精度を向上させることができ、実用上非常に有利である。【００４１】
本発明の記録装置の他の態様では、前記第１マークのマーク長は、前記出射されるレーザ光の前記記録面上におけるスポット径より短い。【００４２】
この態様によれば、第１マークに係る第１再生特性と第２マークに係る第２再生特性とが顕著に異なり、比較的容易にして目標再生特性が得られる第２パルス幅を特定することができる。【００４３】
本発明の記録装置の他の態様では、前記第１マークは、最短マークである。【００４４】
この態様によれば、第１マークは、最短マークである。ここに、本発明に係る「最短マーク」とは、ＲＦ信号に含まれる最高周波数成分パルスに対応するマーク長を有するマークを意味する。例えば光ディスクがＢＤ−Ｒである場合は、２Ｔパルスに対応するマークであり、光ディスクがＤＶＤ−Ｒである場合は、３Ｔパルスに対応するマークである。【００４５】
本発明の記録装置の他の態様では、前記設定手段は、環境温度を検出する温度検出手段を含み、前記検出された環境温度に応じて、前記目標再生特性及び前記一又は複数のパワー値を夫々設定する。【００４６】
この態様によれば、例えば温度センサ等である温度検出手段は、環境温度を検出する。ここに、「環境温度」とは、典型的には、当該記録装置における光ディスクが設置される場所（例えば、トレイ）の温度を意味する。このような環境温度は、直接検出してもよいし、例えば当該記録装置が設置されている場所の温度から推定してもよい（即ち、間接的に検出してもよい）。【００４７】
設定手段は、検出された環境温度に応じて、目標再生特性及び複数のパワー値を設定する。これにより、光ディスクの温度特性に適した目標再生特性等を設定することができ、実用上非常に有利である。【００４８】
本発明の記録方法は、上記課題を解決するために、記録可能な光ディスクの記録面上に複数のマーク及び複数のスペースを交互に形成することにより情報を記録し、前記記録面に対しレーザ光を出射するレーザ光源を備える記録装置における記録方法であって、前記レーザ光源から出射されたレーザ光を介して、前記光ディスクに予め記録されている情報記録に係るディスク情報を読み込む読込工程と、前記読み込まれたディスク情報に基づいて、前記光ディスクからの反射光に起因する再生特性の目標である目標再生特性、及び前記レーザ光源から出射されるレーザ光のパワーを示す一又は複数のパワー値を夫々設定する設定工程と、前記設定された一又は複数のパワー値により示されるパワーを有するレーザ光により前記記録面上に形成された前記複数のマークのうち第１マークに係る第１再生特性を取得すると共に、前記第１マークのマーク長に対応する第１パルス幅を微小幅だけ変更して前記記録面上に形成された第２マークに係る第２再生特性を取得する再生特性取得工程と、前記設定された目標再生特性、前記設定された一又は複数のパワー値、前記取得された第１再生特性、前記取得された第２再生特性、前記第１パルス幅及び前記微小幅に基づいて、記光ディスクに前記情報を記録する際の前記出射されるレーザ光のパワーを決定するパワー決定工程とを備える。【００４９】
本発明の記録方法によれば、上述した本発明の記録装置と同様に、記録パワーを最適化する際に、高パワーで記録することに起因する弊害を回避することができる。【００５０】
尚、本発明の記録方法においても、上述した本発明の記録装置と同様の各種態様を採ることが可能である。【００５１】
本発明の作用及びその他の利得は次に説明する実施するための最良の形態から明らかにされよう。
【図面の簡単な説明】
【００５２】
【図１】本発明の実施形態に係る記録装置の構成を示すブロック図である。
【図２】本発明の実施形態に係る記録パワー算出部の構成を示すブロック図である。
【図３】本発明の実施形態に係る記録条件生成部の構成を示すブロック図である。
【図４】本発明の実施形態に係る記録パルス生成部の構成を、ＯＰＣ時における電気信号の流れと共に示すブロック図である。
【図５】本発明の実施形態に係る記録パルス生成部の構成を、データ記録時における電気信号の流れと共に示すブロック図である。
【図６】本発明の実施形態に係る記録装置において実行される最適記録パワー調整処理を示すフローチャートである。
【図７】本発明の実施形態に係る記録条件の一例である。
【図８】再生特性及びジッタの関係を示す実験結果の一例である。
【図９】本発明の実施形態に係るパルス幅変更部によって変更されたパルスの一例を示す概念図である。
【図１０】再生特性及びパルス幅変更量の関係を記録パワー毎に示す実験結果の一例である。
【図１１】記録パワー及びずれ量の関係を示す実験結果の一例である。
【図１２】記録パワー及び再生特性の関係を示す実験結果の一例である。
【図１３】本発明の実施形態の変形例に係るマルチパルスの一例を示す概念図である。
【図１４】本発明の実施形態の変形例に係るキャッスルパルスの一例を示す概念図である。
【図１５】本発明の実施形態の変形例に係るキャッスルパルスの記録パワーを変更する際の概念を示す概念図である。
【符号の説明】
【００５３】
１  記録装置
１１  駆動部
１２  出射部
１３  受光部
１４  スライダ部
２１  プリ記録情報検出部
２２  再生特性測定部
２３  記録パワー算出部
２４  ディスク情報取得部
２５  記録条件生成部
２６  アドレス算出部
２７  記録パルス生成部
３００  光ディスク
【発明を実施するための最良の形態】
【００５４】
以下、本発明の記録装置に係る実施形態を図面に基づいて説明する。【００５５】
（記録装置の構成）
先ず、本実施形態に係る記録装置の構成について、図１を参照して説明する。ここに、図１は、本実施形態に係る記録装置の構成を示すブロック図である。尚、図中の矢印は電気信号の流れを示している。【００５６】
図１において、記録装置１は、駆動部１１、出射部１２、受光部１３、スライダ部１４、プリ記録情報検出部２１、再生特性測定部２２、記録パワー算出部２３、ディスク情報取得部２４、記録条件生成部２５、アドレス算出部２６及び記録パルス生成部２７を備えて構成されている。尚、上記各構成要素は、ここでは図示しないシステム制御部によって制御される。【００５７】
ここに、本実施形態に係る「出射部１２」、「ディスク情報取得部２４」、「記録条件生成部２５」及び「再生特性測定部２２」は、夫々、本発明に係る「レーザ光源」、「読込手段」、「設定手段」及び「再生特性取得手段」の一例である。また、本実施形態に係る「記録パワー算出部２３」は、本発明に係る「パワー決定手段」、「ずれ量演算手段」及び「近似式生成手段」の一例である。【００５８】
例えばスピンドルモータ等を備えてなる駆動部１１は、プリ記録情報検出部２１から送信されるウォブル情報（例えばウォブル周波数等）に基づいて、例えば色素系のＢＤ−Ｒである光ディスク３００を回転させる。【００５９】
例えばレーザダイオード等を備えてなる出射部１２は、レーザ光を光ディスク３００に出射する。例えばフォトダイオード（Ｐｈｏｔｏ  Ｄｉｏｄｅ：ＰＤ）等を備えてなる受光部１３は、光ディスク３００からの反射光を受光して、該受光された反射光に起因する電気信号を出力する。スライダ部１４は、出射部１２及び受光部１３を備えてなる光ピックアップヘッドを、光ディスク３００の半径方向に移動可能である。【００６０】
プリ記録情報検出部２１は、受光部１３から出力された電気信号に基づいて、光ディスク３００に予め形成されているウォブルやランドプリピット（以下、適宜「ＬＰＰ」と称する）等のプリ記録情報を検出する。そして、プリ記録情報検出部２１は、検出されたウォブル情報を示す電気信号を駆動部１１に送信し、検出されたＬＰＰ情報を示す電気信号をディスク情報取得部２４及びアドレス算出部２６に送信する。【００６１】
再生特性測定部２２は、後述する最適記録パワー調整時（以下、適宜「ＯＰＣ時」と称する）において、光ディスク３００の記録面の試し記録が行われた部分（即ち、ＯＰＣ記録部）に係る再生特性βを測定し、該測定された再生特性βを示す電気信号を記録パワー算出部２３に送信する。【００６２】
記録パワー算出部２３は、図２に示すように、算出条件演算部２３１及び最適記録パワー算出部２３２を備えて構成されている。ここに、図２は、記録パワー算出部２３の構成を示すブロック図である。【００６３】
記録パワー算出部２３の算出条件演算部２３１は、ＯＰＣ時に、再生特性測定部２２から送信される電気信号により示されるＯＰＣ記録部に係る再生特性β、並びに記録条件生成部２５から送信される電気信号により示される目標再生特性β０、記録パワーＰ（ｍ）及び本発明に係る「微小量」の一例としてのパルス幅変更量Δ２Ｔに基づいて、記録パワーＰ（ｍ）で試し記録を行ったＯＰＣ記録部に係る再生特性βから、再生特性βと目標再生特性β０とが等しくなるずれ量Δ２Ｔ（ｍ）を算出する。【００６４】
記録パワー算出部２３の最適記録パワー算出部２３２は、一又は複数の記録パワーＰ（ｍ）と、該記録パワーＰ（ｍ）に対応する一又は複数のずれ量Δ２Ｔ（ｍ）とに基づいて最適記録パワーＰ０を算出して、該算出された最適記録パワーＰ０を示す電気信号を記録パルス生成部２７に送信する。【００６５】
再び図１に戻り、ディスク情報取得部２４は、光ディスク３００に予め記録されている情報又はプリ記録情報検出部２１から送信される電気信号により示されるＬＰＰ情報から、ディスク情報（例えば光ディスク３００の製造者、型番、記録ストラテジ等）を取得する。【００６６】
記録条件生成部２５は、図３に示すように、記録条件選択部２５１及びメモリ２５２を備えて構成されている。ここに、図３は、本実施形態に係る記録条件生成部の構成を示すブロック図である。【００６７】
記録条件生成部２５の記録条件選択部２５１は、ディスク情報取得部２４から送信される電気信号により示されるディスク情報に基づいて、メモリ２５２に予め格納されている目標再生特性β０、記録パワーＰ（ｍ）、パルス幅変更量Δ２Ｔ及び記録ストラテジを特定する。【００６８】
記録条件選択部２５１は、特定された目標再生特性β０、記録パワーＰ（ｍ）及びパルス幅変更量Δ２Ｔを示す電気信号を記録パワー算出部２３に送信すると共に、特定された記録パワーＰ（ｍ）、パルス幅変更量Δ２Ｔ及び記録ストラテジを示す電気信号を記録パルス生成部２７に送信する。【００６９】
尚、記録条件選択部２５１は、図示しない、本発明に係る「温度検出手段」の一例としての温度センサの出力及びディスク情報に基づいて、目標再生特性β０、記録パワーＰ（ｍ）、パルス幅変更量Δ２Ｔ及び記録ストラテジを特定してもよい。【００７０】
具体的には例えば、複数の温度に夫々対応する目標再生特性β０をメモリ２５２に格納しておき、記録条件選択部２５１は、温度センサの出力により示される環境温度に対応する目標再生特性β０を特定してもよい。【００７１】
また、記録装置１が、例えばインターネット等のネットワークに接続され、且つネットワーク上に目標再生特性β０等を格納するサーバ装置を設けられている場合、記録条件選択部２５１は、ディスク情報に基づいてサーバ装置から目標再生特性β０等を特定するようにしてもよい。或いは、サーバ装置から、目標再生特性β０等を含む記録条件を取得してもよい。この場合、取得された記録条件は、取得された直後に光ディスク３００に記録されてもよいし、例えば画像や音声等の情報を記録した後に光ディスク３００に記録されてもよい。【００７２】
尚、取得された直後に、取得された記録条件が光ディスク３００に記録される場合は、光ディスク３００に記録された記録条件を、記録時に記録装置１が読みだしてもよい。【００７３】
再び図１に戻り、アドレス算出部２６は、プリ記録情報検出部２１から送信される電気信号により示されるＬＰＰ情報に基づいて、アドレス情報を算出し、該算出されたアドレス情報を示す電気信号を記録パルス生成部２７に送信する。【００７４】
記録パルス生成部２７は、図４及び５に示すように、記録ストラテジ設定部２７１、本発明に係る「パルス幅変更手段」の一例としてのパルス幅変更部２７２、記録パワー設定部２７３及び記録パルス送信部２７４を備えて構成されている。ここに、図４は、本実施形態に係る記録パルス生成部の構成を、ＯＰＣ時における電気信号の流れと共に示すブロック図であり、図５は、本実施形態に係る記録パルス生成部の構成を、データ記録時における電気信号の流れと共に示すブロック図である。【００７５】
図４において、ＯＰＣ時に、記録ストラテジ設定部２７１は、記録条件生成部２５から送信される電気信号により示される記録ストラテジに基づいて、記録データを記録する記録ストラテジを設定し、該設定された記録ストラテジを示す電気信号をパルス幅変更部２７２に送信する。ここで、ＯＰＣ時における記録データは、例えばランダムデータ又は最適記録パワー調整用に用意されたデータである。【００７６】
パルス幅変更部２７２は、記録ストラテジ設定部２７１から送信された電気信号により示される記録ストラテジ、及び記録条件生成部２５から送信される電気信号により示されるパルス幅変更量Δ２Ｔに基づいて、本発明に係る「第１マーク」の一例としての２Ｔに対応する記録パルスのパルス幅２Ｔ０を変更する。ここで、２Ｔは、光ディスク３００に形成される複数のマークのうち最も短いマークである。【００７７】
尚、パルス幅変更部２７２は、２Ｔ以外の記録マークに対応するパルスのパルス幅を変更してもよい。即ち、例えば２番目に短いマークである３Ｔに対応する記録パルスのパルス幅を変更してもよい。また、２Ｔに対応するパルス幅２Ｔ０に加えて３Ｔに対応するパルス幅を同時に変更してもよい。【００７８】
或いは、パルス幅が変更される記録マークの長さは、レーザ光の光ディスク３００の記録面上におけるスポット径より短いマークにしてもよい。或いは、光ディスク３００に係る変調方式に基づいて、複数の記録マーク（例えば２Ｔ、３Ｔ、４Ｔ…）の出現頻度を特定して、該特定された出現頻度のうち最も出現頻度の高い記録マークに対応するパルスのパルス幅を変更してもよい。【００７９】
記録パワー設定部２７３は、記録条件生成部２５から送信される電気信号により示される記録パワーＰ（ｍ）に基づいて、記録パワーを設定して、該設定された記録パワーを示す電気信号を記録パルス送信部２７４に送信する。【００８０】
記録パルス送信部２７４は、パルス幅変更手段２７２から送信される電気信号により示されるパルス幅、及び記録パワー設定部２７３から送信される電気信号により示される記録パワーに基づいて最適記録パワー調整用の記録パルスを生成し、アドレス算出部２６から送信される電気信号により示されるアドレス情報に基づいて、光ディスク３００の記録面上の目的のアドレスに記録するように生成された記録パルスを示す電気信号を出射部１２に送信する。【００８１】
図５において、データ記録時に、記録ストラテジ設定部２７１は、記録条件生成部２５から送信される電気信号により示される記録ストラテジに基づいて、記録データを記録する記録ストラテジを設定し、該設定された記録ストラテジを示す電気信号を記録パワー設定部２７３に送信する。【００８２】
記録パワー設定部２７３は、記録パワー算出部２３から送信された電気信号により示される最適記録パワーＰ０に基づいて、記録パワーを設定して（即ち、記録パワーを最適記録パワーＰ０とする）、該設定された記録パワーを示す電気信号を記録パルス送信部２７４に送信する。【００８３】
記録パルス送信部２７４は、記録パワー設定部２７３から送信される電気信号により示される記録パワーに基づいてデータ記録用の記録パルスを生成し、アドレス算出部２６から送信される電気信号により示されるアドレス情報に基づいて、光ディスク３００の記録面上の目的のアドレスに記録するように生成された記録パルスを示す電気信号を出射部１２に送信する。【００８４】
（最適記録パワー調整処理）
次に、以上のように構成された記録装置１において実行される最適記録パワー調整処理について、図６のフローチャートを参照して説明する。【００８５】
図６において、先ず、システム制御部は、光ディスク３００を駆動するように駆動部１１を制御しつつ、光ディスク３００の所定位置にレーザ光が照射されるように出射部１２及びスライダ部１４を制御する。続いて、システム制御部は、光ディスク３００に予め記録されている情報又はプリ記録情報検出部２１から送信される電気信号により示されるＬＰＰ情報から、ディスク情報を取得するようにディスク情報取得部２４を制御する（ステップＳ１０１）。【００８６】
次に、システム制御部は、取得されたディスク情報に基づいて、目標再生特性β０、記録パワーＰ（ｍ）、パルス幅変更量Δ２Ｔ及び記録ストラテジを特定するように記録条件生成部２５を制御する（ステップＳ１０２）。【００８７】
ここで、特定される目標再生特性β０等について、図７を参照して説明を加える。図７は、本実施形態に係る記録条件の一例である。【００８８】
図７における目標再生特性β０は、実験的に或いはシミュレーションによって、複数種類の光ディスク各々について、再生特性β及びジッタの関係を求め、該求められた関係に基づき、ジッタが最小となる再生特性βとして設定され、予め記録条件生成部２５のメモリ２５２に格納されている。そして、記録条件選択部２５１によって、取得されたディスク情報に対応する目標再生特性β０が特定される。【００８９】
色素系のＢＤ−Ｒについての再生特性β及びジッタの関係を示す実験結果を、図８を参照して説明する。ここに、図８は、再生特性β及びジッタの関係を示す実験結果の一例である。尚、図中の実線は実験結果に基づく近似式である。【００９０】
図８に示すように、再生特性βの値が０．１０である場合に、ジッタが最小となっていることがわかる。従って、本実施形態では、図８に示した実験結果に基づいて、目標再生特性β０を０．１０としている。【００９１】
再び図７に戻り、記録条件選択部２５１は、ディスク情報に含まれる、或いはディスク情報により特定された推奨記録パワーが６．５［ｍＷ（ミリワット）］である場合、該推奨記録パワーを１番目の記録パワーＰ（１）として選択する。続いて、記録条件選択部２５１は、推奨記録パワーを微小量だけ変更した記録パワー（ここでは、７．０［ｍＷ］）を２番目の記録パワーＰ（２）として選択する。【００９２】
パルス幅変更量Δ２Ｔは、パルス幅２Ｔ０を段階的に変更するための値であり、予め記録装置１に格納されていてもよいし、パルス幅２Ｔ０や記録線速から算出されてもよい。【００９３】
尚、パルス幅変更量Δ２Ｔは、好ましくは、−１／２［Ｔ（周期）］〜１／２［Ｔ］である。これは、パルス幅を大きく変更してしまうと、２番目に短いマークである３Ｔの記録パルスに対応するパルス幅との差異が小さくなることに起因して、記録装置１が２Ｔであるのか３Ｔであるのかを判定することが困難になり、精度が低下してしまうためである。【００９４】
再び、図６に戻り、次に、システム制御部は、特定された目標再生特性β０等に基づいて、最適記録パワー調整用の記録パルスを生成するように記録パルス生成部２７を制御して、光ディスク３００の記録面に記録マークを形成する。その後、システム制御部は、光ディスク３００の記録面のＯＰＣ記録部に係る再生特性βを測定するように再生特性測定部２２を制御する（ステップＳ１０３）。【００９５】
ここで、記録パルス生成部２７のパルス幅変更部２７２によるパルス幅の変更方法について、図９を参照して説明する。図９は、本実施形態に係るパルス幅変更部によって変更されたパルスの一例を示す概念図である。【００９６】
パルス幅変更部２７２は、記録条件生成部２５から送信される電気信号により示されるパルス幅変更量Δ２Ｔに基づいて２Ｔに対応する記録パルスのパルス幅２Ｔ０を変更する。具体的には例えば、パルス幅変更量Δ２Ｔが−１／１６［Ｔ］である場合、パルス幅変更部２７２は、２Ｔに対応する記録パルスの立ち上がり（図９中の左側）のタイミングが１／１６［Ｔ］だけ遅くなるようにする（記録パルスの立ち上がりが破線で示す位置になるようにする）ことによってパルス幅を変更する。【００９７】
或いは、パルス幅変更量Δ２Ｔが０［Ｔ］である場合、パルス幅変更部２７２は、２Ｔに対応する記録パルスの立ち上がりのタイミングが０［Ｔ］だけ遅くなるようにすることによってパルス幅を変更する（即ち、パルス幅を変更しない）。或いは、パルス幅変更量Δ２Ｔが＋１／１６［Ｔ］である場合、パルス幅変更部２７２は、２Ｔに対応する記録パルスの立ち上がりのタイミングが１／１６［Ｔ］だけ早くなるようにする（記録パルスの立ち上がりが一点鎖線で示す位置になるようにする）ことによってパルス幅を変更する。【００９８】
尚、パルス幅の変更は、記録パルスの立ち上がりのタイミングを変更することに限らず、記録パルスの立下りのタイミングを変更してもよいし、記録パルスの立ち上がり及び立下りのタイミングを変更してもよい。【００９９】
再び、図６に戻り、次に、システム制御部は、再生特性測定部２２により測定されたＯＰＣ記録部に係る再生特性β、並びに記録条件生成部２５により特定された目標再生特性β０、記録パワーＰ（ｍ）及びパルス幅変更量Δ２Ｔに基づいて、記録パワーＰ（ｍ）で試し記録を行ったＯＰＣ記録部に係る再生特性βから、再生特性βと目標再生特性β０とが等しくなるずれ量Δ２Ｔ（ｍ）を算出し、更に、複数の記録パワーＰ（ｍ）と、該記録パワーＰ（ｍ）に対応する複数のずれ量Δ２Ｔ（ｍ）とに基づいて最適記録パワーＰ０を算出するように記録パワー算出部２３を制御する（ステップＳ１０４）。【０１００】
ここで、各記録パワーＰ（ｍ）における測定された再生特性β及びパルス幅変更量Δ２Ｔの関係について、図１０を参照して説明する。図１０は、再生特性β及びパルス幅変更量Δ２Ｔの関係を記録パワーＰ（ｍ）毎に示す実験結果の一例である。尚、図中の実線は実験結果に基づく近似式である。【０１０１】
図１０に示すように、パルス幅が長くなる（即ち、図中のΔ２Ｔが大きくなる）程、再生特性βが小さくなることがわかる。記録パワー算出部２３の算出条件演算部２３１は、近似式から、再生特性βと目標再生特性β０（ここでは、０．１０）とが等しくなるずれ量Δ２Ｔ（ｍ）を算出する。本実施形態では、記録パワーＰ（１）の場合のずれ量Δ２Ｔ（１）は、０．９８０［Ｔ］であり、記録パワーＰ（２）の場合のずれ量Δ２Ｔ（２）は、−０．８７９［Ｔ］である。【０１０２】
尚、図１０におけるΔ２Ｔが０の場合に対応する実験結果が、本発明に係る「第１再生特性」の一例であり、Δ２Ｔが−１又は１の場合に対応する実験結果が、本発明に係る「第２再生特性」の一例である。【０１０３】
記録パワー算出部２３の最適記録パワー算出部２３２は、算出条件演算部２３１によって算出された算出条件（ここでは、（０．９８０［Ｔ］、６．５［ｍＷ］）及び（−０．８７９［Ｔ］、７．０［ｍＷ］））に基づいて、図１１に示すような記録パワーＰ（ｍ）及びずれ量Δ２Ｔ（ｍ）の関係を求めて、該求められた関係に基づいて、ずれ量がゼロとなる（即ち、パルス幅が２Ｔ０となる）記録パワーを算出する（ここでは、算出された記録パワーは、６．７６［ｍＷ］である）。ここに、図１１は、記録パワーＰ（ｍ）及びずれ量Δ２Ｔ（ｍ）の関係を示す実験結果の一例である。図中の実線は実験結果に基づく近似式である。【０１０４】
尚、図１０に示すように、記録パワーが低い程、パルス幅を長くすれば、測定される再生特性βが目標再生特性β０を比較的跨ぎやすくなる。従って、記録パワーが低い程、パルス幅が長くなるようにパルス幅を変更すれば、比較的少ない測定結果に基づいて、目標再生特性β０が内挿範囲に含まれる近似式を得ることができる。この結果、最適記録パワーを決定するまでにかかる時間を短縮することができ、実用上非常に有利である。【０１０５】
＜比較例＞
次に、上述の図８、１０及び１１に示した実験結果を取得するための実験に用いられた色素系のＢＤ−Ｒを用いて、段階的にレーザ光の記録パワーを変更して試し記録を行い、ＯＰＣ記録部に係る再生特性βを測定して最適記録パワーを求めた場合の実験結果について、図１２を参照して説明する。ここに、図１２は、記録パワー及び再生特性βの関係を示す実験結果の一例である。尚、図中の実線は実験結果に基づく近似式である。【０１０６】
図１２において、上述の最適記録パワー調整処理における目標再生特性β０（即ち、０．１０）となる記録パワー（即ち、最適記録パワー）を近似式から求めると、６．７６［ｍＷ］となり、上述の最適記録パワー調整処理の結果と同様の結果を得ることができる。【０１０７】
これにより、パルス幅を変更して再生特性βを取得し、該取得された再生特性β及びパルス幅に基づいて最適記録パワーを求めるという方法が、最適記録パワーを求める方法として妥当であることが証明された。【０１０８】
尚、本実施形態では、上述の如く、記録パルスのパルス幅及び記録パワーを変更することによって最適記録パワーを決定しているが、記録パワーのみを変更することによって最適記録パワーを決定してもよい。この場合、記録パワーは、典型的には、最短のマークである２Ｔを光ディスク３００に記録（即ち、形成）するための記録パルスについてのみ変更される（即ち、記録パルスの波高が変更される）ので、記録パワーを最適化する際に、高パワーで記録することに起因する弊害を抑制することができる。【０１０９】
＜変形例＞
次に、最短マーク或いは比較的短いマークに対応する記録パルスのパルス幅を変更することに代えて、比較的長いマークに対応する記録パルスのパルス幅を変更する場合について、図１３乃至図１５を参照して説明する。【０１１０】
ディスク情報取得部２４により取得されたディスク情報に含まれる記録ストラテジ、或いは、記録条件生成部２５により特定される記録ストラテジが、マルチパルスストラテジである場合は、パルス幅変更部２７２を、例えば図１３に示すように、マルチパルスのパルス幅Ｔ０をパルス幅変更量ΔＴだけ変更するように構成すればよい。ここに、図１３は、マルチパルスの一例を示す概念図である。【０１１１】
また、ディスク情報取得部２４により取得されたディスク情報に含まれる記録ストラテジ、或いは、記録条件生成部２５により特定される記録ストラテジが、キャッスルストラテジである場合は、パルス幅変更部２７２を、例えば図１４に示すように、キャッスルパルスのパルス幅Ｔｗをパルス幅変更量ΔＴだけ変更するように構成すればよい。ここに、図１４は、キャッスルパルスの一例を示す概念図である。【０１１２】
キャッスルパルスの記録パワーを変更する場合、例えば図１５に示すように、キャッスルパルスの中間バイアス部の記録パワーＰ２を微小量ΔＰだけ変更してもよいし、キャッスルパルスにおける記録パワーＰ１と記録パワーＰ２との比を変更せずに、キャッスルパルス全体の記録パワーを変更してもよい。ここに、図１５は、キャッスルパルスの記録パワーを変更する際の概念を示す概念図である。【０１１３】
尚、本実施形態では、上述の如く、最適記録パワー調整の際に、２種類の記録パワーＰ（ｍ）を用いているが、１種類の記録パワーＰ（ｍ）のみ用いて最適記録パワーを決定してもよい。この場合は、例えば、最適記録パワーの算出式（即ち、図１１に示すような直線の式）であるＰ０＝Ａｍ×Ｐ（ｍ）＋Ｂｍ、並びにずれ量Δ２Ｔ（ｍ）からＡｍ及びＢｍが得られる係数算出式を、予め記録装置１に格納しておく。ここに、“Ｐ０”は、最適記録パワーを示しており、“Ａｍ”及び“Ｂｍ”は、係数（即ち、直線の傾き及び切片）を示している。【０１１４】
最適記録パワー調整時には、ある記録パワーＰ（３）によって試し記録を行い、ＯＰＣ記録部に係る再生特性βが、目標再生特性β０となるずれ量Δ２Ｔ（３）を取得する。次に、該取得されたずれ量Δ２Ｔ（３）及び記録装置１に格納されている係数算出式に基づいて、係数Ａ３及びＢ３を求める。続いて、該求められた係数Ａ３及びＢ３、並びに記録装置１に格納されている最適記録パワーの算出式に基づいて、最適記録パワーＰ０が求められる。【０１１５】
或いは、再生特性βが、目標再生特性β０となるずれ量Δ２Ｔ（ｍ）に代えて、パルス幅変更量Δ２ＴがゼロとなるＯＰＣ記録部に係る再生特性βと目標再生特性β０との差Δβ（ｍ）、最適記録パワーの算出式（ここでは、Ｐ０＝Ｃｍ×Δβ（ｍ）＋Ｄｍ）並びに差Δβ（ｍ）からＣｍ及びＤｍが得られる係数算出式に基づいて、最適記録パワーＰ０が求められる。【０１１６】
尚、本実施形態では、上述の如く、最適記録パワー調整の際に再生特性βを指標として最適記録パワーを求めているが、再生特性βに代えて又は加えて、例えば受光部１３から出力されるＲＦ信号のアシンメトリ値、最短記録マークの信号レベル、最短記録スペースの信号レベル、再生されたＲＦ信号における最短パルスの振幅、再生されたＲＦ信号における最短パルスの振幅と他のパルスの振幅との比を指標としてもよい。【０１１７】
尚、本発明は、上述した実施形態に限られるものではなく、請求の範囲及び明細書全体から読み取れる発明の要旨、或いは思想に反しない範囲で適宜変更可能であり、そのような変更を伴う記録装置及び方法もまた、本発明の技術的範囲に含まれるものである。
【図１】
2010010632.tif 000003
【図２】
2010010632.tif 000004
【図３】
2010010632.tif 000005
【図４】
2010010632.tif 000006
【図５】
2010010632.tif 000007
【図６】
2010010632.tif 000008
【図７】
2010010632.tif 000009
【図８】
2010010632.tif 000010
【図９】
2010010632.tif 000011
【図１０】
2010010632.tif 000012
【図１１】
2010010632.tif 000013
【図１２】
2010010632.tif 000014
【図１３】
2010010632.tif 000015
【図１４】
2010010632.tif 000016
【図１５】
2010010632.tif 000017
【国際調査報告】
2010010632.tif 000018
2010010632.tif 000019
2010010632.tif 000020